(57)【特許請求の範囲】
【請求項１】
病室内の壁に上下方向の延長状態で設置される供給ダクトの上下両端部に開閉可能な吹出口と、
前記供給ダクト内の送風の温度に応じて前記吹出口を開閉するための開閉機構とを設け、
前記開閉機構は温度変化に応じて変形する形状記憶材の動きを利用しており、
前記供給ダクトを、病室内に設置される病室コンソールのハウジングにより構成し、
前記供給ダクトの上端部側の吹出口の開閉機構は、前記供給ダクトを通過するエアが冷風の場合には開放状態になり、前記エアが高温になると、形状記憶側に形状変化して閉鎖状態になる第１の形状記憶材により構成され、
前記供給ダクトの下端部側の吹出口の開閉機構は、前記供給ダクトを通過するエアが低温の場合に閉鎖状態になり、前記エアが温風になると、形状記憶側に形状変化して開放状態になる第２の形状記憶材により構成されていることを特徴とする空調装置。
【請求項２】
前記各吹出口を前記ハウジングの左右に異なる向きで並設したことを特徴とする請求項１に記載の空調装置。
【請求項３】
病室内の壁に上下方向の延長状態で設置される供給ダクトの上下両端部に開閉可能な吹出口と、
前記供給ダクト内の送風の温度に応じて前記吹出口を開閉するための開閉機構とを設け、
前記開閉機構は温度変化に応じて変形する形状記憶材の動きを利用しており、
前記供給ダクトによりハウジングされており、
前記供給ダクトの上端部側の吹出口の開閉機構は、前記供給ダクトを通過するエアが冷風の場合には開放状態になり、前記エアが高温になると、形状記憶側に形状変化して閉鎖状態になる第１の形状記憶材により構成され、
前記供給ダクトの下端部側の吹出口の開閉機構は、前記供給ダクトを通過するエアが低温の場合に閉鎖状態になり、前記エアが温風になると、形状記憶側に形状変化して開放状態になる第２の形状記憶材により構成されていることを特徴とする病室内に設置される病室コンソール。
【請求項４】
前記各吹出口を前記ハウジングの左右に異なる向きで並設したことを特徴とする請求項３に記載の病室コンソール。
【請求項５】
請求項３又は４に記載の病室コンソールを設置したことを特徴とする病室。
【請求項６】
前記病室コンソールを、並設されるベッド間の位置に設けたことを特徴とする請求項５に記載の病室。
【発明の詳細な説明】
【技術分野】
【０００１】
この発明は、空調装置、病室コンソール、及びその病室コンソールを設置した病室に関するものである。
【背景技術】
【０００２】
従来、病室に設置される病室コンソールとしては、例えば特許文献１に開示されるような構成が提案されている。この従来構成においては、コンソール本体が病室の壁面に縦方向に延長状態で配置され、そのコンソール本体には医療用ガスの接続口や電源コンセントが設けられている。コンソール本体の上端部には、病室の天井に配置された空調リターンダクトが接続されている。コンソール本体の下端部には、病室内に開口する空調リターン吸込口が設けられている。そして、病室内のエアが空調リターン吸込口からコンソール本体内に吸い込まれ、コンソール本体内を通して空調リターンダクトから室外に排出されるようになっている。
【先行技術文献】
【特許文献】
【０００３】
【特許文献１】特開２００３−１４４５００号公報
【発明の概要】
【発明が解決しようとする課題】
【０００４】
ところが、この従来構成においては、病室内への冷房や暖房のための空調エアの供給構成については設けられていない。このため、コンソール本体内を通して病室内のエアが室外に排出されたとしても、病室内への冷房や暖房の空調エアの供給は、在来構成のように病室の天井面等に設けられた吹出口から行われることになる。よって、空調エアがベッド上の患者の頭部等に直接吹き付けられて、不快な気流感を与えやすい。しかも、例えば、天井面の吹出口から暖房用の温風が吹き出される場合、その温風は部屋内の下部に行き渡りにくく、天井部付近の上部に滞留しやすい。従って、暖房効率が悪いばかりでなく、部屋内の下部は低温のままであって、足許が寒く、快適性に欠けるものであった。これを防止するために、例えば、壁の上部にサーキュレータを設けることがあるが、暖気は下降し難いため、その効果は充分ではない。
【０００５】
この発明は、このような従来の技術に存在する問題点に着目してなされたものである。その目的は、不快な気流感を防止することができるとともに、空調効率を向上できる空調装置、病室コンソール及び病室を提供することにある。
【課題を解決するための手段】
【０００６】
上記の目的を達成するために、病室内の壁に上下方向の延長状態で設置される供給ダクトの上下両端部に開閉可能な吹出口と、前記供給ダクト内の送風の温度に応じて前記吹出口を開閉するための開閉機構とを設け、前記開閉機構は温度変化に応じて変形する形状記憶材の動きを利用しており、前記供給ダクトを、病室内に設置される病室コンソールのハウジングにより構成し、前記供給ダクトの上端部側の吹出口の開閉機構は、前記供給ダクトを通過するエアが冷風の場合には開放状態になり、前記エアが高温になると、形状記憶側に形状変化して閉鎖状態になる第１の形状記憶材により構成され、前記供給ダクトの下端部側の吹出口の開閉機構は、前記供給ダクトを通過するエアが低温の場合に閉鎖状態になり、前記エアが温風になると、形状記憶側に形状変化して開放状態になる第２の形状記憶材により構成されていることを特徴としている。
従って、この発明の空調装置においては、冷房時にはダクトの上端部に設けられた吹出口を開放して冷風を供給するとともに、暖房時にはダクトの下端部に設けられた吹出口を開放して温風を供給することが可能となる。よって、この空調装置を病室の空調用として用いた場合、空調エアがベッド上の患者に直接吹き付けられることを回避して、患者に不快な気流感を与えるおそれを防止することができる。また、冷房時と暖房時とにおいて、空調エアが上下の適切な吹出口から選択的に供給されるため、ベッド周辺で空調エアに温度ムラが発生することを抑制することができる。
【０００７】
前記空調装置において、前記各吹出口を前記ハウジングの左右に異なる向きで並設するとよい。
【０００８】
また、病室コンソールに係る発明では、病室内の壁に上下方向の延長状態で設置される供給ダクトの上下両端部に開閉可能な吹出口と、前記供給ダクト内の送風の温度に応じて前記吹出口を開閉するための開閉機構とを設け、前記開閉機構は温度変化に応じて変形する形状記憶材の動きを利用しており、前記供給ダクトによりハウジングされており、前記供給ダクトの上端部側の吹出口の開閉機構は、前記供給ダクトを通過するエアが冷風の場
合には開放状態になり、前記エアが高温になると、形状記憶側に形状変化して閉鎖状態になる第１の形状記憶材により構成され、前記供給ダクトの下端部側の吹出口の開閉機構は、前記供給ダクトを通過するエアが低温の場合に閉鎖状態になり、前記エアが温風になると、形状記憶側に形状変化して開放状態になる第２の形状記憶材により構成されて、病室内に設置されていることを特徴としている。
【０００９】
従って、この発明の病室コンソールにおいては、ハウジングを空調エアの供給路として利用することができる。そして、ベッド上の患者に対する空調エアの吹き付けにより、不快な気流感を与えるおそれを防止することができるとともに、ベッド周辺における空調エアの温度ムラの発生を抑制することができる。
【００１０】
前記病室コンソールにおいて、前記各吹出口をハウジングの左右に並設するとよい。
【００１２】
さらに、病室に係る発明では、前記のような構成の病室コンソールを設置したことを特徴としている。
前記病室において、病室コンソールを、並設されるベッド間の位置に設けるとよい。
【発明の効果】
【００１３】
以上のように、この発明によれば、空調エアがベッド上の患者等に直接吹き付けられることを抑制して、不快な気流感を与えるおそれを防止することができるとともに、室内に温度ムラが発生することを抑制できるという効果を発揮する。
【図面の簡単な説明】
【００１４】
【図１】第１実施形態の空調装置付の病室コンソールを設置した病室を示す平断面図。
【図２】図１の病室コンソールを拡大して示す斜視図。
【図３】図２の３−３線における拡大断面図。
【図４】図２の病室コンソールの吹出口を拡大して示す要部正面図。
【図５】図４の５−５線における断面図。
【図６】図４の６−６線における断面図。
【図７】（ａ）〜（ｃ）は吹出口における複数の開閉板を示す部分正面図。
【図８】冷房用吹出口及び暖房用吹出口の開閉状況を示すタイムチャート。
【図９】第２実施形態の空調装置付の病室コンソールを設置した病室を示す平断面図。
【図１０】図９の病室コンソールを拡大して示す斜視図。
【図１１】第３実施形態の空調装置付の病室コンソールを示す斜視図。
【図１２】図１１の病室コンソールの縦断面図。
【図１３】第４実施形態の空調装置付の病室コンソールを設置した病室を示す部分平断面図。
【図１４】図１４の病室コンソールを拡大して示す斜視図。
【図１５】第５実施形態の病室コンソールの吹出口を示す断面図。
【図１６】第６実施形態の病室コンソールの吹出口を示す断面図。
【図１７】図１６の構成においてダンパを動作させる構成を示す断面図。
【図１８】第６実施形態の病室コンソールの吹出口を示す断面図。
【図１９】（ａ）〜（ｃ）はダンパの動作態様を示す簡略図。
【発明を実施するための形態】
【００１５】
（第１実施形態）
以下に、この発明を具体化した第１実施形態を図１〜図８に従って説明する。
図１に示すように、この実施形態において、病院の建物内の病室２１には、入口２１ａと、両側の壁２１ｂと、窓２１ｃとが設けられている。病室２１内の入口２１ａの両側部には、それぞれ２つのベッド２２が入口側と奥部側とにおいてベッド頭部側を壁２１ｂ側に向けた状態で配置されている。各ベッド２２の周囲を巡るようにカーテンレール（図示しない）が架設され、このカーテンレールにカーテン２３が開閉可能に吊下されており、カーテン２３により壁２１ｂ側を除くベッド２２の三方の周囲が目隠しされるようになっている。
【００１６】
並設された２つのベッド２２間において病室２１の壁２１ｂには、２つのベッド２２で共用の病室コンソール２４が上下方向に延長した状態で設置固定されている。各ベッド２２の側部における床面上には、テレビ、冷蔵庫等の載置や小物の収納に使用するキャビネット２５が設置されている。
【００１７】
前記病室２１の天井裏には、空調装置２６の室内側熱交換ユニットよりなる空調エア供給機２７が配置されている。病室２１内において窓２１ｃの下部近傍には、空調エア吹出口２８が窓２１ｃに沿って延長状態で配置されている。病室２１の天井裏において、空調エア供給機２７と各病室コンソール２４との間、及び空調エア供給機２７とエア吹出口２８との間には、空調エア供給機２７から各病室コンソール２４及びエア吹出口２８に空調エアを供給するための複数の送風管２９が延長されている。
【００１８】
図２及び図３に示すように、前記病室コンソール２４の外殻を構成する供給ダクトを構成するハウジング３１は、横断面五角筒状の縦長ダクト形状をなしている。ハウジング３１の上端を閉鎖する端板３１ａには、空調エア供給機２７からの送風管２９を接続するための接続部３２が設けられている。ハウジング３１の下端は図示しない端板によって閉鎖されている。ハウジング３１の両側においてそれぞれベッド２２側の領域に対面する一対の傾斜壁３１ｂの上下両端部には、冷房用吹出口３３及び暖房用吹出口３４がそれぞれベッド２２の足許側の領域を指向するように、各ベッド２２に対応して設けられている。
【００１９】
ハウジング３１の両側における直立壁３１ｃには、複数の医療用ガスの接続口３５、電源コンセント３６，電灯用等のスイッチ３７及びネットワーク接続用のコネクタ４０がそれぞれ配置されている。これらの医療用ガスの接続口３５、電源コンセント３６，電灯用等のスイッチ３７及びネットワーク接続用のコネクタ４０を利用したり、操作したりすることにより、患者に対する医療ガスの供給を行い得るとともに，患者が各種電気機器に対する使用，電灯の点灯及び消灯，パソコンの接続等を行ない得るようになっている。
【００２０】
ハウジング３１の内側面には、医療用ガスの接続口３５に接続されるガス供給管３８と、電線やデータ送信ケーブル等よりなるハーネス３９とが延長配置されている。
図４及び図５に示すように、前記冷房用吹出口３３及び暖房用吹出口３４の各外枠４１は、前後両面を開口した四角枠状に形成されている。図５及び図６に示すように、各外枠４１の前面には開口枠４２が固定され、その開口枠４２内には複数枚の羽板４３よりなるルーバー５３が取り付けられている。開口枠４２の後方において外枠４１内には、開閉機構としての開閉機構４４が配置されている。すなわち、外枠４１の両側壁間には固定開閉板４５が架設されており、その固定開閉板４５には上下方向に延びる長孔状の透孔４５ａが複数形成されている。固定開閉板４５の前後両面には第１可動開閉板４６及び第２可動開閉板４７が左右方向へ移動可能に接合配置され、それらの可動開閉板４６，４７には固定開閉板４５の透孔４５ａと同様な複数の長孔状の透孔４６ａ，４７ａが形成されている。
【００２１】
前記第１可動開閉板４６の前面上部には、操作レバー４８が前方に向かって突設されている。そして、この操作レバー４８により第１可動開閉板４６が一方の位置に移動されたときには、第１可動開閉板４６の各透孔４６ａが固定開閉板４５の各透孔４５ａと一致して、外枠４１内の空調エアの流路が開放可能な状態になる。これに対して、操作レバー４８により第１可動開閉板４６が他方の位置に移動されたときには、第１可動開閉板４６の各透孔４６ａが固定開閉板４５の各透孔４５ａと不一致の閉鎖状態になって、外枠４１内の空調エアの流路が開放不能な状態になる。従って、この第１可動開閉板４６により各吹出口３３，３４が開閉される。
【００２２】
前記第２可動開閉板４７の後方において外枠４１内には、作動体４９が支持板５０及びステー（図示しない）を介して左右方向へ移動可能に配置されている。作動体４９は連結板５１により第２可動開閉板４７に連結されている。作動体４９の先端部と支持板５０との間には、外枠４１内，すなわちハウジング３１内の温度変化に応じて変形するコイル状の形状記憶材として形状記憶合金５２が介装されている。形状記憶合金５２の近傍には、その形状記憶合金５２にバイアス力を付与するためのスプリング（図示しない）が付設されている。そして、この形状記憶合金５２が温度変化に応じて変形することにより、第２可動開閉板４７が左右方向に移動される。この移動により、第２可動開閉板４７の各透孔４７ａが固定開閉板４５の各透孔４５ａと一致または不一致となって、冷房用吹出口３３及び暖房用吹出口３４における外枠４１内の空調エアの流路が選択的に開閉される。
【００２３】
そして、冷房用吹出口３３側の形状記憶合金５２と、暖房用吹出口３４側の形状記憶合金５２とは変態点が異なるものが用いられるとともに、形状記憶合金５２の記憶変形及びバイアスバネの作用による冷房用吹出口３３と暖房用吹出口３４との開閉態様が逆になるように同合金５２が組み込まれている。つまり、図８に示すように、冷房用吹出口３３においては、空調エアが冷風の場合に、冷房用吹出口３３はバイアスバネの付勢力によって開放状態にあり、空調エアが高温になると、形状記憶合金５２が形状記憶側に形状変化して、閉鎖される。従って、冷房用吹出口３３は冷風送風時に大きく開放される。また、暖房用吹出口３４側においては、空調エアが低温の場合に、暖房用吹出口３４はバイアスバネの付勢力によって閉鎖状態にあり、空調エアが温風になると、形状記憶合金５２が形状記憶側に形状変化して、開放される。従って、暖房用吹出口３４は温風送風時に大きく開放される。
【００２４】
次に、この実施形態の作用を説明する。
図１に示すように、病室コンソール２４は並設されたベッド２２間において病室２１の壁２１ｂに設置される。この状態で、空調エア供給機２７からハウジング３１内に冷風が送出されると、その冷風の温度によって上側の冷房用吹出口３３の形状記憶合金５２がバイアスバネよって変形して、冷房用吹出口３３が大きく開放されるとともに、暖房用吹出口３４が閉鎖状態となる。このため、冷風が上側の冷房用吹出口３３からベッド２２の足許側の領域に向かって供給される。また、空調エア供給機２７から温風が送出されると、その温風の温度によって下側の暖房用吹出口３４の形状記憶合金５２が形状記憶側に変形して、暖房用吹出口３４が大きく開放されるとともに、冷房用吹出口３３が閉鎖状態となる。このため、温風が下側の暖房用吹出口３４からベッド２２の足許側の領域に向かって供給される。
【００２５】
例えば、ベッド２２が空きベッドで、空調エアの供給が不要な場合や、空調エアの供給を避けたい場合は、吹出口３３，３４を操作レバー４８の操作によって閉じればよい。
そして、この実施形態によれば、以下のような効果を得ることができる。
【００２６】
（１）  この実施形態においては、病室２１内に設置されるハウジング３１に空調エア供給機２７からの送風管２９を接続するための接続部３２が設けられている。そして、ハウジング３１の上下両端部には、開閉可能な吹出口３３，３４が設けられている。
【００２７】
このため、冷房時にはハウジング３１の上端部に設けられた吹出口３３を開放して冷風を病室２１内に供給するとともに、暖房時にはハウジング３１の下端部に設けられた吹出口３４を開放して温風を供給することができる。よって、冷房時と暖房時とにおいて、空調エアが上下の吹出口３３，３４から選択的に供給されるため、温風の滞留等によって室内に温度ムラが発生することを抑制することができる。
【００２８】
（２）  冷風がハウジング３１の上部から供給されるため、冷風が天井から直下に向かって吹き下ろされるようなことを防止できる。しかも、冷房用吹出口３３及び暖房用吹出口３４がベッド２２の足許側の領域に向かって空調エアを供給する。このため、患者に不快な気流感を与えるおそれを防止することができる。
【００２９】
（３）  病室２１内に空調エアを供給するための吹出口をベッド２２毎に天井部に設置する必要がなくなる。このため、天井部に吹出口用の開口を穿つことが不要になり、よって、施工性が向上し、工期短縮に寄与する。
【００３０】
（４）  ハウジング３１が空調エアの供給ダクトを兼用するため、室内の湿度を調節して結露を防止すれば、ハウジングから冷房や暖房の輻射熱を放散させることができる。このため、空調効果を向上させることができる。
【００３１】
（５）  吹出口３３，３４が各ベッド２２に対応して設けられているため、ベッド２２の周囲をカーテン２３によって区切れば、ひとつのベッド２２周りの個別空調が可能となり、不要な領域の空調を省くことができて、空調費用の節約に貢献できる。
【００３２】
（６）  ハウジング３１が病室２１内の壁２１ｂに上下方向の延長状態で設置されている。このため、縦長形状のハウジング３１を病室２１内の壁２１ｂに沿って邪魔になることなく設置することができる。
【００３３】
（７）  前記各吹出口３３，３４がハウジング３１の左右に並設されている。このため、２つのベッド２２が並べて配置された複数人用の病室２１においては、２つのベッド２２間の壁に沿って１つの共用の病室コンソール２４を設置することにより、両ベッド２２周辺への空調エアの吹き出しを行うことができて、省スペースに貢献できる。
【００３４】
（８）  前記各吹出口３３，３４にハウジング３１内の送風の温度に応じて吹出口３３，３４を開閉するための開閉機構４４が設けられている。このため、冷房時と暖房時とにおいて、上下の吹出口３３，３４の切り換え開閉を送風の温度に応じて自動的に行うことができる。
【００３５】
（９）  この空調装置付の病室コンソールにおいては、前記開閉機構４４が温度変化に応じて変形する形状記憶合金５２の動きを利用した構成となっている。従って、開閉機構４４のための電気系統の配線等が不要になり、開閉機構４４の構造が簡単であるとともに、送風の温度変化に応じて吹出口３３，３４の切り換え開閉を適切に行うことができる。
【００３６】
（第２実施形態）
次に、この発明を具体化した第２実施形態を前記第１実施形態と異なる部分を中心に説明する。この第２実施形態以降の各実施形態及び変更例については、第１実施形態と異なる部分を中心に説明する。
【００３７】
この第２実施形態においては、図９及び図１０に示すように、病室２１がその内部に１つのベッド２２が配置された個室様式となっている。病室２１の隅角部には、病室コンソール２４が壁２１ｂに沿って上下方向に延びるように設置されている。この病室コンソール２４のハウジング３１は、横断面直角三角筒状の縦長ダクト状をなすように構成されている。ハウジング３１の前面を構成する斜辺壁３１ｅの上下両端部には前記第１実施形態と同様な冷房用吹出口３３及び暖房用吹出口３４が設けられるとともに、前面の中央部には複数の医療用ガスの接続口３５，電源コンセント３６，電灯用等のスイッチ３７及びネットワーク接続コネクタ４０が配置されている。
【００３８】
従って、この第２実施形態においても、前記第１実施形態における（５）及び（７）に記載の効果を除いた効果とほぼ同様な効果を得ることができる。
（第３実施形態）
次に、この発明を具体化した第３実施形態を説明する。
【００３９】
この第３実施形態においては、図１１及び図１２に示すように、キャビネット２５が空調装置２６のダクトを構成する病室コンソールとして、病室２１の床面に固定配置されている。キャビネット２５のハウジング５４は、前面を開口した箱形状に形成されている。ハウジング５４内の前部には小物や冷蔵庫等を収納するための複数の収納部５５Ａ，５５Ｂが区画形成され、上方収納部５５Ａの前面には扉５６が開閉可能に取り付けられている。ハウジング５４内の後部にはダクト部５７が区画形成され、そのダクト部５７の後面には空調エア供給機２７からの送風管２９を接続するための接続部３２が設けられている。ハウジング５４の上面後部にはダクト部５７の上端に連通する冷房用吹出口３３が上向きに設けられるとともに、ハウジング５４の前面下部にはダクト部５７の下端に連通する暖房用吹出口３４が設けられている。
【００４０】
従って、この第３実施形態においても、前記第１実施形態における（５）〜（７）に記載の効果を除いた効果とほぼ同様な効果を得ることができる。
（第４実施形態）
次に、この発明を具体化した第４実施形態を説明する。
【００４１】
この第４実施形態では、図１３及び図１４に示すように、病室コンソール２４が病室２１内のベッド２２間における壁２１ｂ面に埋設した状態で設置されている。この病室コンソール２４のハウジング３１は、横断面五角筒状の縦長ダクト状をなすように構成されている。ハウジング３１の前面の稜線の両側における傾斜壁３１ｄの上下両端部には冷房用吹出口３３及び暖房用吹出口３４がそれぞれ左右に並べて設けられるとともに、前面の中央部には複数の医療用ガスの接続口３５，電源コンセント３６，電灯用等のスイッチ３７及びネットワーク接続コネクタ４０がそれぞれ左右に並べて配置されている。
【００４２】
従って、この第４実施形態によれば、前記第１実施形態における効果を得ることができる。そして、この第４実施形態によれば、以下のような効果を得ることができる。
（１０）  この空調装置付の病室コンソールにおいては、ハウジング３１が病室２１内の壁２１ｂ面に埋設した状態で設置されている。このため、縦長形状のハウジング３１を病室２１内の壁２１ｂ面に突出することなく設置することができる。よって、病室２１内のスペースを広くすることができるとともに、ハウジング３１の設置安定性を高めることができる。
【００４３】
（第５実施形態）
次にこの発明を具体化した第５実施形態を説明する。
この第５実施形態では、図１５に示すように、冷房用吹出口３３及び暖房用吹出口３４の外枠４１内に、空調エアの温度を検出するための温度センサ５８が配置されている。開閉機構４４の第２可動開閉板４７を開閉移動させるための作動体４９には、前記第１実施形態の形状記憶材に代えてソレノイドよりなるアクチュエータ５９が接続されている。そして、温度センサ５８による空調エアの温度検出に基づいて、アクチュエータ５９により第２可動開閉板４７が左右方向に移動されて、冷房用吹出口３３及び暖房用吹出口３４が選択的に開閉されるようになっている。
【００４４】
従って、この第５実施形態においても、前記第１実施形態における（９）に記載の効果を除く効果とほぼ同様な効果を得ることができる。
（第６実施形態）
次に、この発明を具体化した第６実施形態を図１６及び図１７に基づいて説明する。
【００４５】
この第６実施形態では、冷房用吹出口３３及び暖房用吹出口３４の外枠４１内にダンパ６１が軸６２より回動可能に構成されている。そして、このダンパ６１は外枠４１内の空調エアの流路を閉鎖する位置（実線の位置）と開放する位置（２点鎖線の位置）とに切り替えられる。なお、ダンパ６１はストッパ６３，６４によって前記２位置に規制される。図１７に示すように、ハウジング３１内における外枠４１の外面において前記軸６２には小歯車６５が固定されている。その小歯車６５には大歯車６６が噛合されている。この大歯車６６には、コイル状の形状記憶合金５２とバイアスバネ６０とが連結されている。この大歯車６６，形状記憶合金５２及びバイアスバネ６０は、外枠４１及びハウジング３１のどちらに支持されていてもよい。
【００４６】
そして、形状記憶合金５２の記憶変形による冷房用吹出口３３と暖房用吹出口３４との開閉態様が逆になるように同合金５２及びバイアスバネ６０が組み付けられている。このため、前記第１実施形態と同様に、空調エアが冷風の場合には、バイアスバネの付勢力によって冷房用吹出口３３が開放されるとともに、暖房用吹出口３４は閉鎖される。また、空調エアが温風になると、形状記憶合金５２の形状変化により暖房用吹出口３４が開放されるとともに、冷房用吹出口３３は閉鎖される。
【００４７】
従って、この実施形態においては、前記第１実施形態と同様な効果を得ることができる。
（第７実施形態）
次に、この発明の第７実施形態を図１８及び図１９に基づいて説明する。
【００４８】
この第７実施形態では、前記第６実施形態の形状記憶合金５２に代えて、温度センサ５８からの温度検出信号によって動作されるブレーキ付きサーボモータ７１によってダンパ６１が回動されるものである。従って、この実施形態では、ブレーキ付きサーボモータ７１の作用により、ダンパ６１を閉鎖位置と開放位置との間の中間位置に保持することが可能になる。このため、例えば、図１９（ａ）（ｃ）に示す冷房及び暖房の外に、図１９（ｂ）に示すように、冷房と暖房との間の中間温度（例えば摂氏２３度）で送風を実行する場合には、両ダンパ６１を半開きにして、上下の吹出口３３，３４から同時に空調エアを室内に送ることができる。
【００４９】
従って、この実施形態においては、前述の効果に加えて以下の効果がある。
（１１）  吹出口３３，３４を半開状態にして上下双方の位置から送風を行なうことができるとともに、ダンパ６１によって送風角度を調節することも可能となる。
【００５０】
（変更例）
なお、この実施形態は、次のように変更して具体化することも可能である。
・  前記第５実施形態において、開閉機構４４のアクチュエータ５９をモータより構成して、そのモータの回転によりボールネジ等を介して第２可動開閉板４７を開閉移動させるように構成すること。
【００５１】
・  ルーバー５３の羽板４３の角度を調節するための装置を設けること。この場合、羽板４３により開口枠４２を閉鎖できるようにすれば、第１可動開閉板４６を省略できる。
・  形状記憶合金に代えて形状記憶樹脂を設けること。
【００５２】
・  この発明を、病院の病室以外に、老人ホームの部屋，一般住宅の部屋，オフィスの部屋等、他の場所において具体化すること。
【符号の説明】
【００５３】
２１…病室、２１ｂ…壁、２２…ベッド、２４…ダクトを構成する病室コンソール、２５…床置き台、２６…空調装置、２７…空調エア供給機、２９…送風管、３１…ハウジング、３２…接続部、３３…冷房用吹出口、３４…暖房用吹出口、４４…開閉機構、４５…固定開閉板、４６…第１可動開閉板、４７…第２可動開閉板、４８…操作レバー、４９…作動体、５２…形状記憶合金、５８…温度センサ、５９…アクチュエータ。
【図１】
0006007483.tif 000002
【図２】
0006007483.tif 000003
【図３】
0006007483.tif 000004
【図４】
0006007483.tif 000005
【図５】
0006007483.tif 000006
【図６】
0006007483.tif 000007
【図７】
0006007483.tif 000008
【図８】
0006007483.tif 000009
【図９】
0006007483.tif 000010
【図１０】
0006007483.tif 000011
【図１１】
0006007483.tif 000012
【図１２】
0006007483.tif 000013
【図１３】
0006007483.tif 000014
【図１４】
0006007483.tif 000015
【図１５】
0006007483.tif 000016
【図１６】
0006007483.tif 000017
【図１７】
0006007483.tif 000018
【図１８】
0006007483.tif 000019
【図１９】
0006007483.tif 000020